(57)【要約】【課題】偏光を利用した情報漏洩防止機能を有効に活用できるようにする。【解決手段】起動されたアプリケーションに情報漏れ防止機能が設定されているか否かを判定し(S42)、設定されていないときは、全表示素子を用いた通常の画面表示行い(S47)、設定されているときは、情報漏れ防止機能を有効にするか否かを確認するための表示を行う(S43)。使用者が情報漏れ防止機能を無効にしたときは、全表示素子を用いた通常の画面表示によるアプリケーション表示を行う(S47)。使用者が情報漏れ防止機能を有効にしたときは、全表示素子を２つの表示素子群に分割し、一方の表示素子群により通常表示用の情報画面を表示し、他方の表示素子群により偽情報画面を表示するとともに、通常表示用の情報画面を表示する情報光と偽情報画面を表示する情報光の偏光面を、予め設定された偏光角度にして表示する(S45)。【選択図】図６
2009229535.tif 000002
【特許請求の範囲】
【請求項１】
情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末の情報表示方法であって、
該情報端末で起動可能なアプリケーションの中から、予め指定されたアプリケーションが起動されたとき、前記偏光を利用した情報漏洩防止機能設定の指示確認を行い、該指示確認に対して、前記偏光を利用した情報漏洩防止機能の設定指示がなされたときは前記偏光を利用した情報漏洩防止機能を用いた表示を行い、前記予め指定されたアプリケーション以外のアプリケーションが起動されたときおよび前記指示確認に対して偏光を利用した情報漏洩防止機能の不設定指示がなされたときには、前記情報表示部内の全ての情報表示素子を用いて前記所望の情報表示を行うことを特徴とする情報表示方法。
【請求項２】
前記指定されたアプリケーションの動作中に、前記偏光を利用した情報漏洩防止機能を用いた表示と前記情報表示部内の全ての情報表示素子による前記所望の情報表示との間の切替えが可能であることを特徴とする請求項１に記載の情報表示方法。
【請求項３】
情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末において、
該情報端末で起動可能なアプリケーションの中から、予め指定されたアプリケーションが起動されたとき、前記偏光を利用した情報漏洩防止機能設定の指示確認を行う手段と、該指示確認に対して、前記偏光を利用した情報漏洩防止機能の設定指示がなされたとき前記偏光を利用した情報漏洩防止機能を用いた表示を行う手段と、前記予め指定されたアプリケーション以外のアプリケーションが起動されたときおよび前記指示確認に対して偏光を利用した情報漏洩防止機能の不設定指示がなされたとき、前記情報表示部内の全ての情報表示素子による前記所望の情報表示を行う手段と、を備えていることを特徴とする情報端末。
【請求項４】
前記指定されたアプリケーションの動作中に、前記偏光を利用した情報漏洩防止機能を用いた表示と前記情報表示部内の全ての情報表示素子による前記所望の情報表示を、切替え可能にする手段を備えていることを特徴とする請求項３に記載の情報端末。
【請求項５】
前記一部の情報表示素子から発せられる情報光の振動方向および前記他の情報表示素子から発せられる偽情報を形成するための情報光の振動方向を調整する偏光角度設定手段を備えていることを特徴とする請求項３または４に記載の情報端末。
【請求項６】
情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末が備えているコンピュータに、
該情報端末で起動可能なアプリケーションの中から、予め指定されたアプリケーションが起動されたとき、前記偏光を利用した情報漏洩防止機能設定の指示確認を行う処理と、該指示確認に対して、前記偏光を利用した情報漏洩防止機能の設定指示がなされたとき前記偏光を利用した情報漏洩防止機能を用いた表示を行う処理と、前記予め指定されたアプリケーション以外のアプリケーションが起動されたときおよび前記指示確認に対して偏光を利用した情報漏洩防止機能の不設定指示がなされたとき、前記情報表示部内の全ての情報表示素子による前記所望の情報表示を行う処理を実行させるためのプログラム。
【発明の詳細な説明】
【技術分野】
【０００１】
本発明は、情報端末上に表示される情報を、当該者以外の第三者から覗き見されるのを防止する技術に関する。
【背景技術】
【０００２】
携帯電話機、ＰＨＳ（Personal Handy-phone System）、ＰＤＡ（Personal Data Assistance，Personal Digital Assistants：個人向け携帯型情報通信機器）等の情報端末は、列車内等の公衆の中で使用されるケースも多く、その場合、情報端末に表示された内容が周囲の第三者に覗き見されることもある。そのため、この情報端末を用いて特に他人に知られたくない個人情報を含む情報の作成、表示を行う際には、表示された情報を他人に見られないように注意しながら操作する必要がある。
【０００３】
このような問題を解消する手段として、特許文献１では、使用中の情報端末上に表示されている情報を当該者以外の第三者が覗き見しても、その内容を視認することができないように表示する技術が提案されている。
【０００４】
特許文献１に記載の発明では、情報端末が備えている情報表示部内の一部の情報表示素子を用いて所望の情報を表示し、該情報表示部内の前記一部の情報表示素子を除く他の情報表示素子を用いて偽情報を表示するとともに、偏光手段を用いて、前記一部の情報表示素子から発せられる情報光の振動方向を所定方向に揃えた偏光情報光とし、前記他の情報表示素子から発せられる偽情報のための情報光の振動方向を前記所定方向と直行する方向に偏光することにより、前記所定方向の偏光成分のみを透過する偏光メガネの使用者に対して前記一部の情報表示素子から発せられる情報を視認可能にしている。
【０００５】
この特許文献１に記載の発明によれば、一部の情報表示素子から発せられた情報光を分離して視認するための偏光メガネを着用しない第三者がこの情報表示部を覗き見した場合、情報表示部全体の情報表示素子によって形成される偽情報が看取され、情報端末使用者が視認している情報を見分けることができないので、第三者への情報漏洩を防止することが可能となる。
【０００６】
【特許文献１】特開２００３−２８８０２４号公報
【特許文献２】特開２００６−３０１５４９号公報
【発明の開示】
【発明が解決しようとする課題】
【０００７】
上記偏光を利用した情報漏洩防止機能を用いて情報表示部に情報を表示する際には、その一部の表示素子、例えば奇数列の表示素子によって所望の情報を表示し、偶数列の表示素子によって偽情報を形成するための情報を表示する必要がある。そのため、情報表示部が備えている全画素数の例えば半分の画素数で所望の情報表示を行う関係上、表示画面が粗くなって、表示品質が劣化することは避けられない。
【０００８】
一方、情報表示部に表示される情報の内容によっては、第三者に覗き見されてもかまわないような情報を表示する場合も多く、また、例えば、第三者から覗き見されないような環境においてメール等の個人情報を含む情報の作成、表示を行うような場合には、わざわざ情報を表示するための画素数を減らしてまで偽情報を表示する必要はないが、特許文献１に記載の発明ではその点に関して特に考慮されていない。
【０００９】
本発明の目的は、上述した課題を解決することが可能な、偏光を利用した情報漏洩防止機能を有する情報端末装置を提供することにある。
【課題を解決するための手段】
【００１０】
本発明の情報表示方法は、
情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末の情報表示方法であって、該情報端末で起動可能なアプリケーションの中から、予め指定されたアプリケーションが起動されたとき、前記偏光を利用した情報漏洩防止機能設定の指示確認を行い、該指示確認に対して、前記偏光を利用した情報漏洩防止機能の設定指示がなされたときは前記偏光を利用した情報漏洩防止機能を用いた表示を行い、前記予め指定されたアプリケーション以外のアプリケーションが起動されたときおよび前記指示確認に対して偏光を利用した情報漏洩防止機能の不設定指示がなされたときには、前記情報表示部内の全ての情報表示素子を用いて前記所望の情報表示を行うことを特徴とする。
【００１１】
本発明の情報端末は、該情報端末が備えている情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末において、該情報端末で起動可能なアプリケーションの中から、予め指定されたアプリケーションが起動されたとき、前記偏光を利用した情報漏洩防止機能設定の指示確認を行う手段と、該指示確認に対して、前記偏光を利用した情報漏洩防止機能の設定指示がなされたとき前記偏光を利用した情報漏洩防止機能を用いた表示を行う手段と、前記予め指定されたアプリケーション以外のアプリケーションが起動されたときおよび前記指示確認に対して偏光を利用した情報漏洩防止機能の不設定指示がなされたとき、前記情報表示部内の全ての情報表示素子による前記所望の情報表示を行う手段と、を備えていることを特徴とする。
【００１２】
本発明のプログラムは、情報表示部内の一部の情報表示素子を用いて所望の情報を表示し、該情報表示部内の前記一部の情報表示素子を除く他の情報表示素子を用いて偽情報を形成するための情報を表示するとともに、偏光手段を用いて、前記一部の情報表示素子から発せられる情報光の振動方向を所定方向に揃えた偏光情報光とし、前記他の情報表示素子から発せられる偽情報を形成するための情報光の振動方向を前記所定方向と直行する方向に偏光することにより、前記所定方向の偏光成分のみを透過する偏光メガネを介して前記所望の情報を視認可能にする、偏光を利用した情報漏洩防止機能を有する情報端末が備えているコンピュータに、該情報端末で起動可能なアプリケーションの中から、予め指定されたアプリケーションが起動されたとき、前記偏光を利用した情報漏洩防止機能設定の指示確認を行う処理と、該指示確認に対して、前記偏光を利用した情報漏洩防止機能の設定指示がなされたとき前記偏光を利用した情報漏洩防止機能を用いた表示を行う処理と、前記予め指定されたアプリケーション以外のアプリケーションが起動されたときおよび前記指示確認に対して偏光を利用した情報漏洩防止機能の不設定指示がなされたとき、前記情報表示部内の全ての情報表示素子による前記所望の情報表示を行う処理を実行させることを特徴とする。
【発明の効果】
【００１３】
本発明によれば、ユーザにより予め指定されたアプリケーションを実行中のみ、偏光を利用した情報漏洩防止機能を起動可能にしたので、情報漏洩防止の必要のないアプリケーションプログラムを実行しているときには、情報表示部内の全ての情報表示素子を用いた良好な画質による表示を行うことができる。
【００１４】
また、偏光を利用した情報漏洩防止が必要なアプリケーションプログラムが起動された際に、偏光を利用した情報漏洩防止機能を実行させるか否かをユーザが指定できる手段を備えたので、ユーザは、プログラム起動時に意識しなくても、偏光を利用した情報漏洩防止機能を実行させるか否かを周囲の環境に合わせて判断して指定することができる。
【００１５】
また、指定されたアプリケーションを実行中に、ユーザが重要と考えている場面でのみ、偏光を利用した情報漏洩防止機能を実行させることも可能に構成されているので、不必要に偏光を利用した情報漏洩防止機能を実行させることによる劣化した表示画面での操作をしなくても済み、情報漏洩防止機能を柔軟に適用することができる。
【発明を実施するための最良の形態】
【００１６】
図１は、本発明の実施形態に係わる情報端末装置の概略を示す機能ブロック図である。
【００１７】
本実施形態の情報端末装置は、当該情報端末装置が備えている各種機能を実行制御するＣＰＵである制御部１０１と、図示省略した基地局と無線通信を行う無線部１０２と、テンキーやカーソルキー等を含み、ユーザからの操作入力を受け付ける操作部１０３と、各種情報を表示するＬＣＤ等の表示部１０４と、当該情報端末装置の制御プログラムや各種設定情報等を格納するメモリ１０５とを備えている。
【００１８】
制御部１０１及びメモリ１０５は、メモリ１０５に格納されているこれらのプログラムを実行するためのコンピュータとしての機能を有している。また表示部１０４は、上記特許文献１あるいは特許文献２に記載されている表示機能を備えており、同一画面上に二つの画像を表示することが可能であり、その際表示された二つの画像を、偏光手段を用いて各画像に分離して観察可能にする機能を有する表示部として構成されている。
【００１９】
図２は、本実施形態に係わる情報端末装置の外観および動作の概略を示す図である。
【００２０】
本実施形態における情報端末装置１１は、表示部１０４としてのＬＣＤ（Liquid Crystal Display)１２と、操作部１０３としての入力用の釦１５および複数のサイドキー１６、１７、１８を搭載している。
【００２１】
また本実施形態の情報端末装置１１は、ＬＣＤ１２の全表示素子を用いて１つの情報画面を表示する機能と、ＬＣＤ１２の全表示素子を２つの表示素子群に分割し、一方の表示素子群により通常表示用の情報画面１３を表示し、他方の表示素子群により別の情報画面１４を表示するとともに、情報画面１３を表示する情報光と情報画面１４を表示する情報光の偏光面が互いに直交する偏光面となるように設定する機能を備えている。
【００２２】
この２つの情報画面の同時表示機能は、上記特許文献１あるいは特許文献２に記載されている手段により実現可能である。その際、各情報画面からの情報光の偏光角度については、使用する偏光めがねの偏光角度に応じて、情報端末装置１１の操作部１０３から調整可能に構成されている。そのため情報端末装置１１は、ＬＣＤ１２に異なる二つの情報画面を表示させるための偏光角度を設定する処理を行う偏光角度設定プログラムを備えている。
【００２３】
また、情報端末装置１１に格納されているアプリケーションの中で、情報漏れ防止機能を設定するアプリケーションをユーザが予め指定することが可能であり、そのため情報漏れ防止機能を有効にするアプリケーションを指定するプログラムを備え、さらに、情報漏れ防止機能が指定されたアプリケーションを実行中に、情報漏れ防止機能を有効にした２つの情報画面表示と情報漏れ防止機能を解除してＬＣＤ１２の全表示素子による１つの情報画面表示とを切り替える為のキーを設定する情報画面切替用キー設定プログラムを備えている。
【００２４】
図３〜図５は、本実施形態における情報端末への上記各設定を行う処理の概要を表わしたフローチャートであり、図６は、本実施形態の動作を示すフローチャートである。また図７は、本実施形態の動作を説明するための概略図である。以下、本実施形態の動作について、図１〜図７を参照して説明する。
【００２５】
本発明を動作可能とするために、まず図３に示す処理が実行される。情報端末１１の使用者が、情報端末１１に格納されている偏光角度設定プログラムを起動する（ステップＳ１１）と、ＬＣＤ１２に偏光角度設定画面が表示される（ステップＳ１２）。
【００２６】
次に、使用する偏光サングラス又は偏光眼鏡を掛けてこの偏光角度設定画面を見ながら、偽情報を表示している画面が見えなくなる状態となるように、偽情報を表示している素子から出力される情報光の偏光角度を調整して設定する。制御部１０１はこの設定された情報をもとに、所望の情報を表示する表示素子から出力される情報光の偏向角度が、使用する偏光サングラス又は偏光眼鏡の偏光角度と同じ値となるように設定する（ステップＳ１３）。設定完了後、このプログラムを終了する（ステップＳ１４）。
【００２７】
次に、情報端末１１の使用者は、図４に示す情報画面切替用キーの設定プログラムを起動し（ステップＳ２１）、情報画面切替用キーの設定のための入力画面を表示させる（ステップＳ２２）。ここで、ユーザに情報画面切替用のキーとなる任意のキーを選択させる（ステップＳ２３）。尚、ここでは、一例として情報端末１１のサイドキー１６が情報漏れ防止機能有効キー、サイドキー１７が情報漏れ防止機能無効キーに設定されたものとする。その後、情報端末１１上に情報画面切替用のキーの情報（サイドキー１６とサイドキー１７）を保存し（ステップＳ２４）、このプログラムを終了する（ステップＳ２５）。
【００２８】
次に、情報端末１１の使用者は、情報端末装置１１に格納されているアプリケーションの中で、情報漏れ防止機能を設定するアプリケーションを指定する為に、図５に示すアプリケーション指定プログラムを起動し（ステップＳ３１）、情報漏れ防止機能を設定するアプリケーションを指定する為の入力画面を表示させる（ステップＳ３２）。ここで、情報漏れ防止機能を設定するアプリケーションを選択させる（ステップＳ３３）。その後、情報漏れ防止機能が設定されたアプリケーション情報を情報端末１１に保存（ステップＳ３４）して、このプログラムを終了する（ステップＳ３５）。
【００２９】
図３〜図５に示す各設定処理が行われた情報端末１１を用いて、使用者が該情報端末１１に格納されているアプリケーションを起動すると（ステップＳ４１）、起動されたアプリケーションに情報漏れ防止機能が設定されているか否かが判定され（ステップＳ４２）、情報漏れ防止機能が設定されていないとき（ステップＳ４２，Ｎｏ）は、ＬＣＤ１２の全表示素子を用いた通常の画面表示により起動されたアプリケーションの表示を行う（ステップＳ４７）。
【００３０】
情報漏れ防止機能が設定されているとき（ステップＳ４２，Ｙｅｓ）は、このアプリケーションに情報漏れ防止機能が設定されている旨の表示と、情報漏れ防止機能を有効にするか否かを確認するための表示を行う（ステップＳ４３）。この表示に対して、使用者が情報漏れ防止機能を無効にすることを選択した場合（ステップＳ４４，Ｎｏ）には、ＬＣＤ１２の全表示素子を用いた通常の画面表示機能によって、起動されたアプリケーションの表示を行う（ステップＳ４７）。
【００３１】
ステップＳ４３の表示確認に対して、使用者が情報漏れ防止機能を有効にすることを選択した場合（ステップＳ４４，Ｙｅｓ）には、図７に示すように、ＬＣＤ１２の全表示素子を２つの表示素子群に分割し、一方の表示素子群により通常表示用の情報画面１３を表示し、他方の表示素子群により偽情報画面１４を表示するとともに、通常表示用の情報画面１３を表示する情報光と偽情報画面１４を表示する情報光の偏光面を、それぞれ図３で設定された偏光角度となるように調整して表示する情報漏洩防止機能を用いて、起動されたアプリケーションの表示を行う（ステップＳ４５）。
【００３２】
情報端末１１の使用者は、その際、偏光を有したサングラス又は眼鏡１９を着用することにより、偽情報画面１４からの画像が阻止された画像を見ることが可能となるので、通常表示用の情報画面１３からの画像のみを視認することができる。一方、この偏光を有したサングラス又は眼鏡１９を着用していない第三者には、通常表示用の情報画面１３からの画像と偽情報画面１４からの画像が合成された偽の画像が看取されるため、通常表示用の情報画面１３からの画像を視認することができなくなる。
【００３３】
また、ＬＣＤ１２の全表示素子を用いた通常の画面表示によるアプリケーション表示処理（ステップＳ４７）と、ＬＣＤ１２の全表示素子を２つの表示素子群に分割し、それぞれの偏光角度を設定して、一方の表示素子群により通常表示用の情報画面１３を表示し、他方の表示素子群により偽情報画面１４を表示する処理（ステップＳ４５）は、このアプリケーションを実行中においては、使用者がサイドキー１６とサイドキー１７を操作することにより、適宜どちらかの表示に切替えて実行させることができる。
【００３４】
本実施形態によれば、ユーザにより予め指定されたアプリケーションプログラムに対してのみ偏光を利用した情報漏洩防止機能を実行させるようにしたので、情報漏洩防止の必要のないアプリケーションプログラムを実行しているときには、良好な画質による表示を行うことができる。また、ユーザは、アプリケーション起動時に意識しなくても、偏光を利用した情報漏洩防止機能を実行させるか否かを周囲の環境に合わせて判断することを可能にしているので、必要に応じて情報漏洩防止機能を有効に活用することができる。
【図面の簡単な説明】
【００３５】
【図１】本発明の実施形態に係わる情報端末装置の概略を示す機能ブロック図である。
【図２】本実施形態に係わる情報端末装置の外観および動作の概略を示す図である。
【図３】任意の設定角度に異なる情報画面を表示させるための偏光角度を設定する処理を示すフローチャートである。
【図４】本実施形態における情報画面表示の切替用キー設定を行う処理を示すフローチャートである。
【図５】情報漏れ防止機能を設定するアプリケーションをユーザが予め指定する為の処理を示すフローチャートである。
【図６】本実施形態の動作を示すフローチャートである。
【図７】本実施形態の動作を説明するための概略図である。
【符号の説明】
【００３６】
１１  情報端末
１２  ＬＣＤ
１３  情報画面
１４  偽情報画面
１５  入力用キー釦
１６〜１８  サイドキー釦
１９  偏光メガネ
１０１  制御部
１０２  無線部
１０３  操作部
１０４  表示部
１０５  メモリ
【図１】
2009229535.tif 000003
【図２】
2009229535.tif 000004
【図３】
2009229535.tif 000005
【図４】
2009229535.tif 000006
【図５】
2009229535.tif 000007
【図６】
2009229535.tif 000008
【図７】
2009229535.tif 000009